(57)【要約】【課題】少ない部品点数で電線の噛み込みを防止できる電気接続箱を提供する。【解決手段】電気接続箱１は、フレーム２と、フレーム２の下面２ｂを覆うロアカバー４と、フレーム２内に取り付けられる複数のブロック５，６，７と、これらブロック５，６，７に取り付けられる複数の部品と、を有している。ブロック５，６は、フレーム２の周壁２０に沿って高さ方向に並べられて配置される。ブロック６が上面２ａ側に配置され、ブロック５が下面２ｂ側に配置される。ブロック７は、ブロック５，６よりもフレーム２の内側に配置される。また、ブロック７は、ブロック５よりも上面２ａ側に配置される。各ブロック５，６，７から引き出される電線９ａ，９ｂ，９ｃのうち、フレーム２の周壁２０に沿った位置に配置されると共に最も下方のブロック５から引き出される電線９ａは、フレーム２の内側に向かってブロック５から水平に引き出される。【選択図】図１
2015053798.tif 000002
【特許請求の範囲】
【請求項１】
フレームと、該フレームの下面を覆うロアカバーと、前記フレーム内に取り付けられかつ前記フレームの周壁に沿った位置に配置される少なくとも一つのブロックと、を有し、前記ブロックに取り付けられた部品に電線が接続されている電気接続箱において、
前記電線が、前記フレームの内側に向かって前記ブロックから水平に引き出されている
ことを特徴とする電気接続箱。
【請求項２】
前記ブロックから複数の電線が引き出され、最も下方の位置から引き出される電線が、前記フレームの内側に向かって前記ブロックから水平に引き出されている
ことを特徴とする請求項１に記載の電気接続箱。
【請求項３】
複数のブロックが、前記フレームの周壁に沿って高さ方向に並べられて配置され、最も下方のブロックから引き出される電線が、前記フレームの内側に向かって前記ブロックから水平に引き出されている
ことを特徴とする請求項１又は請求項２に記載の電気接続箱。
【発明の詳細な説明】
【技術分野】
【０００１】
本発明は、自動車に搭載されて、主に電源分配を行う電気接続箱に関するものである。
【背景技術】
【０００２】
自動車に搭載される電気接続箱には様々な構造のものがあるが、例えば、図５に示す構造のものがある。同図に示す電気接続箱３０１は、フレーム３０２と、フレーム３０２の上面を覆うアッパカバー３０３と、フレーム３０２の下面を覆うロアカバー３０４と、フレーム３０２内に取り付けられる複数のブロックと、を有している。複数のブロックのうち、フレーム３０２の周壁に沿った位置に配置されたブロックに符号３０５を付す。
【０００３】
上記複数のブロックには、リレー、ヒューズ、バスバ等の部品が取り付けられる。これら部品には、電線３０９が接続されている。電線３０９は、ブロックの下面からロアカバー３０４側に向かって引き出されている。
【０００４】
上記電気接続箱３０１においては、フレーム３０２にロアカバー３０４を取り付ける際、フレーム３０２とロアカバー３０４との間に電線３０９を噛み込むおそれがあった。特に、フレーム３０２の周壁に沿った位置に配置されたブロック３０５から引き出された電線３０９は、フレーム３０２とロアカバー３０４との間に噛み込み易かった。
【０００５】
また、特許文献１には、フレーム（接続箱本体３３）とロアカバー（アンダーカバー３５）との間に電線（４１）を噛み込むことを防止するために、ロアカバーを取り付ける前に、電線収束部材（３７）をフレームに装着して電線の経路を規定する電気接続箱（３１）が開示されている。
【先行技術文献】
【特許文献】
【０００６】
【特許文献１】特開２００１−２１１５２８号公報
【発明の概要】
【発明が解決しようとする課題】
【０００７】
上述したように、図５に示す電気接続箱３０１においては、フレーム３０２にロアカバー３０４を取り付ける際、フレーム３０２とロアカバー３０４との間に電線３０９を噛み込むおそれがあるという問題があった。また、特許文献１の電気接続箱のように、電線の噛み込みを防止する部品を専用に設ければ、この問題は解消できるが、その代わり、部品点数及び組立工数が増え、コスト高になるという新たな問題が生じる。
【０００８】
したがって、本発明は、少ない部品点数で電線の噛み込みを防止できる電気接続箱を提供することを目的とする。
【課題を解決するための手段】
【０００９】
請求項１に記載された発明は、フレームと、該フレームの下面を覆うロアカバーと、前記フレーム内に取り付けられかつ前記フレームの周壁に沿った位置に配置される少なくとも一つのブロックと、を有し、前記ブロックに取り付けられた部品に電線が接続されている電気接続箱において、前記電線が、前記フレームの内側に向かって前記ブロックから水平に引き出されていることを特徴とする電気接続箱である。
【００１０】
請求項２に記載された発明は、請求項１に記載された発明において、前記ブロックから複数の電線が引き出され、最も下方の位置から引き出される電線が、前記フレームの内側に向かって前記ブロックから水平に引き出されていることを特徴とするものである。
【００１１】
請求項３に記載された発明は、請求項１又は請求項２に記載された発明において、複数のブロックが、前記フレームの周壁に沿って高さ方向に並べられて配置され、最も下方のブロックから引き出される電線が、前記フレームの内側に向かって前記ブロックから水平に引き出されていることを特徴とするものである。
【発明の効果】
【００１２】
請求項１に記載された発明によれば、前記電線が、前記フレームの内側に向かって前記ブロックから水平に引き出されているので、当該電線をフレームとロアカバーとの間に噛み込むことを防止できる。よって、少ない部品点数で電線の噛み込みを防止できる電気接続箱を提供することができる。
【００１３】
請求項２に記載された発明によれば、前記ブロックから複数の電線が引き出され、最も下方の位置から引き出される最も噛み込み易い電線が、前記フレームの内側に向かって前記ブロックから水平に引き出されているので、当該電線をフレームとロアカバーとの間に噛み込むことを防止できる。よって、少ない部品点数で電線の噛み込みを防止できる電気接続箱を提供することができる。
【００１４】
請求項３に記載された発明によれば、複数のブロックが、前記フレームの周壁に沿って高さ方向に並べられて配置され、最も下方のブロックから引き出される最も噛み込み易い電線が、前記フレームの内側に向かって前記ブロックから水平に引き出されているので、当該電線をフレームとロアカバーとの間に噛み込むことを防止できる。よって、少ない部品点数で電線の噛み込みを防止できる電気接続箱を提供することができる。
【図面の簡単な説明】
【００１５】
【図１】本発明の一実施形態にかかる電気接続箱の断面図である。
【図２】図１に示されたブロック組立体の分解図である。
【図３】図１に示された電気接続箱のフレーム上面を模式的に示す模式図である。
【図４】図３に示された電気接続箱の変形例を説明する模式図である。
【図５】従来の電気接続箱の断面図である。
【発明を実施するための形態】
【００１６】
本発明の一実施形態にかかる「電気接続箱」を図１〜３を参照して説明する。図１〜３に示す電気接続箱１は、自動車に搭載されて、主に電源分配を行うものである。この電気接続箱１は、フレーム２と、フレーム２の上面２ａを覆うアッパカバー３と、フレーム２の下面２ｂを覆うロアカバー４と、フレーム２内に取り付けられる複数のブロック５，６，７と、これらブロック５，６，７に取り付けられる複数の部品と、を有している。フレーム２、アッパカバー３、ロアカバー４、ブロック５，６，７は、合成樹脂で構成されている。
【００１７】
上記フレーム２は、枠状の周壁２０を有している。周壁２０は、外側壁２１と内側壁２２とから成る二重壁構造となっている。
【００１８】
上記ブロック５，６，７は、それぞれ別体で構成されている。ブロック５には、リレー８と、中継端子１２と、が取り付けられる。中継端子１２は、リレー８の一方の端子部８１に電気接続される。また、リレー８の他方の端子部８１には、電線９ａの端部に接続された端子１１が電気接続される。ブロック６には、複数のヒューズ（不図示）と、複数のバスバ１３ａ，１３ｂと、が取り付けられる。前記ヒューズの一方の端子部には、電線９ｂの端部に接続された端子（不図示）が電気接続される。ブロック７には、複数のヒューズ（不図示）と、バスバと、が取り付けられる。前記ヒューズの一方の端子部には、電線９ｃの端部に接続された端子（不図示）が電気接続される。
【００１９】
上記ブロック５，６は、フレーム２の周壁２０に沿って高さ方向に並べられて配置される。また、ブロック６が上面２ａ側に配置され、ブロック５が下面２ｂ側に配置される。上記ブロック７は、ブロック５，６よりもフレーム２の内側に配置される。また、ブロック７は、ブロック５よりも上面２ａ側に配置される。
【００２０】
さらに、ブロック５とブロック６とは、図２に示すように合体されてブロック組立体１０を構成する。ブロック５とブロック６とは、合体された後、フレーム２内に取り付けられる。また、ブロック５とブロック６とが合体されることにより、上述した中継端子１２は、ブロック５に取り付けられたリレー８の一方の端子部８１と、ブロック６に取り付けられたバスバ１３ｂと、を電気接続する。
【００２１】
各ブロック５，６，７から引き出される電線９ａ，９ｂ，９ｃのうち、フレーム２の周壁２０に沿った位置に配置されると共に最も下方のブロック５から引き出される電線９ａは、フレーム２の内側に向かってブロック５から水平に引き出される。この電線９ａは、図１に示すように、ブロック５内の部分及びブロック５近傍の部分が水平であれば良く、ブロック５から離れた部分が下方に垂れ下がっていても良い。また、この電線９ａは、図３に示すように、周壁２０の図３中上側の面２０ａに対し交差し、かつ、周壁２０のどの面とも離隔している。他のブロック６，７から引き出される電線９ｂ，９ｃは、ブロック６，７の下面からロアカバー４側に向かって引き出されている。ブロック５は、請求項１，３の「ブロック」に相当する。
【００２２】
なお、上記ブロック５，６が一体のブロック１０’として構成されている場合、ブロック１０’からは複数の電線９ａ，９ｂが引き出され、このうち最も下方の位置から引き出される電線９ａが、該ブロック１０’からフレーム２の内側に向かって水平に引き出されている。このブロック１０’は、請求項２の「ブロック」に相当する。
【００２３】
このように、電気接続箱１においては、フレーム２とロアカバー４との合わせ部近傍に位置する電線９ａを、前記合わせ部と反対方向のフレーム２の内側に向かって水平に引き出す構造であるので、噛み込み防止用の専用部材を用いずとも、当該電線９ａをフレーム２とロアカバー４との間に噛み込むことを防止できる。
【００２４】
また、本発明では、上述した電線９ｂをブロック６からフレーム２の内側に向かって水平に引き出しても良いが、上述した実施形態では、ブロック６の下方のブロック５が、電線９ｂと周壁２０との間に介在しており、該電線９ｂをフレーム２とロアカバー４との間に噛み込む可能性が低いため、該電線９ｂをロアカバー４側に向かって引き出している。
【００２５】
図４は、図３に示された電気接続箱１の変形例を説明する模式図である。同図に示す電気接続箱１’は、ブロック５’が、フレーム２の角部分に取り付けられている。すなわち、ブロック５’は、周壁２０の２面に沿った位置に配置されている。電線９ａは、周壁２０における図４中上側の面２０ａに対し交差していると共に、周壁２０における図４中右側の面２０ｂと平行である。このような場合も、電線９ａは、周壁２０のどの面とも離隔している。このため、当該電線９ａをフレーム２とロアカバー４（図１を参照。）との間に噛み込むことを防止できる。
【００２６】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２７】
１  電気接続箱
２  フレーム
４  ロアカバー
５，６，７  ブロック
８  リレー（部品）
９ａ  電線
２０  周壁
【図１】
2015053798.tif 000003
【図２】
2015053798.tif 000004
【図３】
2015053798.tif 000005
【図４】
2015053798.tif 000006
【図５】
2015053798.tif 000007